(57)【要約】【課題】洗濯の効率を高められ、はずれにくくしかも装着時の快適性が高められ、さらに組み合わせを自由に選択できる愛玩動物用衣服を提供する。【解決手段】この愛玩動物用衣服には、一方の端部近傍に前脚挿通孔を有し少なくとも愛玩動物の背の前方側を覆う前胴被覆部と、少なくとも愛玩動物の背の後方側を覆う後胴被覆部と、前胴被覆部の他方の端部と後胴被覆部の一方の端部に取着され前胴被覆部と後胴被覆部との連接、分離を可能とする連接部材が設けられている。【選択図】図１
2006115855.tif 000002
【特許請求の範囲】
【請求項１】
一方の端部近傍に前脚挿通孔を有し少なくとも愛玩動物の背の前方側を覆う前胴被覆部と、少なくとも愛玩動物の背の後方側を覆う後胴被覆部と、前胴被覆部の他方の端部と後胴被覆部の一方の端部に取着され前胴被覆部と後胴被覆部との連接、分離を可能とする連接部材と、を備えてなることを特徴とする愛玩動物用衣服。
【請求項２】
請求項１に記載された愛玩動物用衣服において、前記前胴被覆部の一方の端部に連接されるものであって愛玩動物の首部を覆う首部被覆部と、首部被覆部と前胴被覆部の一方の端部に取着され首部被覆部と前胴被覆部との連接、分離を可能とする第２の連接部材と、をさらに備えてなることを特徴とする愛玩動物用衣服。
【請求項３】
請求項１または２に記載された愛玩動物用衣服において、前記連接部材は愛玩動物の背側に設けられていることを特徴とする愛玩動物用衣服。
【請求項４】
請求項１乃至３のいずれかに記載された愛玩動物用衣服において、前記後胴被覆部は愛玩動物の後脚を覆うための筒状の後脚被覆部を備えるとともに、愛玩動物の腹部を露出させる形状であることを特徴とする愛玩動物用衣服。
【発明の詳細な説明】
【技術分野】
【０００１】
本発明は、犬や猫等の愛玩動物用の衣服に関する。
【背景技術】
【０００２】
犬や猫等の愛玩動物に人間と同じような衣服を着用させることが行われており、そのための各種の衣服が知られている。例えば、特許文献１、２に記載されている愛玩動物用衣服は、前胴から後胴まで一体化したつなぎ服状のものであって、容易に着脱ができるようにしたものとされている。
【０００３】
【特許文献１】登録実用新案公報３０９９１７４号公報
【特許文献２】特開平１１−２１５９２７号公報
【発明の開示】
【発明が解決しようとする課題】
【０００４】
しかしながら、このようなつなぎ服状の場合、前胴から後胴まで一体化しているため動きにくく、はずれやすいという問題がある。更に、前胴に比べ後胴は汚れやすく、破損しやすいため、一体化していると洗濯の手間がかかり、不都合がある。また、一体化していると組み合わせを自由に選択できないという問題がある。
【０００５】
本発明は係る事由に鑑みてなされたものであり、その目的は、装着時の快適性が高められ、しかも洗濯の効率が高められる愛玩動物用衣服を提供することにある。
【課題を解決するための手段】
【０００６】
上記目的を達成するために、請求項１に記載の愛玩動物用衣服は、一方の端部近傍に前脚挿通孔を有し少なくとも愛玩動物の背の前方側を覆う前胴被覆部と、少なくとも愛玩動物の背の後方側を覆う後胴被覆部と、前胴被覆部の他方の端部と後胴被覆部の一方の端部に取着され前胴被覆部と後胴被覆部との連接、分離を可能とする連接部材と、を備えてなることを特徴とする。
【０００７】
請求項２に記載の愛玩動物用衣服は、請求項１に記載された愛玩動物用衣服において、前記前胴被覆部の一方の端部に連接されるものであって愛玩動物の首部を覆う首部被覆部と、首部被覆部と前胴被覆部の一方の端部に取着され首部被覆部と前胴被覆部との連接、分離を可能とする第２の連接部材と、をさらに備えてなることを特徴とする。
【０００８】
請求項３に記載の愛玩動物用衣服は、請求項１または２に記載された愛玩動物用衣服において、前記連接部材は愛玩動物の背側に設けられていることを特徴とする。
【０００９】
請求項４に記載の愛玩動物用衣服は、請求項１乃至３のいずれかに記載された愛玩動物用衣服において、前記後胴被覆部は愛玩動物の後脚を覆うための筒状の後脚被覆部を備えるとともに、愛玩動物の腹部を露出させる形状であることを特徴とする。
【発明の効果】
【００１０】
本発明の愛玩動物用衣服によれば、前胴被覆部と後胴被覆部が連接部材により連接、分離が可能であるから、動きやすくはずれにくく、装着時の快適性が高められる。また、前胴被覆部と後胴被覆部を分離して前胴被覆部、後胴被覆部等を別々に洗濯でき、それによって色移りを防いだり、汚れやすい部分のみを洗濯する等洗濯の効率が高められる。
【発明を実施するための最良の形態】
【００１１】
以下、本発明を実施するための最良の形態を図面を参照しながら説明する。図１乃至３は、本発明の第１の実施形態に係る愛玩動物用衣服１を示したものである。この愛玩動物用衣服１は、前胴被覆部１０と、後胴被覆部１１と、連接部材１２と、を備える。図１は前胴被覆部１０と後胴被覆部１１を分離した状態を示している。前胴被覆部１０は、少なくとも愛玩動物の背の前方側を覆うものであり、大略袋状をなし、袋状の底部側に対応する一方の端部近傍であって愛玩動物の腹部側に２個の前脚挿通孔１０ａ、１０ａ、同じく愛玩動物の背側に１個の首挿通孔１０ｂを有している。そして、連接部材１２を構成する前胴側連接部１２ａは、前胴被覆部１０の袋状の開口部近傍に対応する他方の端部であって愛玩動物の背側の外面に取着される。後胴被覆部１１は、愛玩動物の背を覆う後胴被覆本体部１１ａと、その他端に２個の筒状の後脚被覆部１１ｂ、１１ｂを連設している。そして、連接部材１２を構成する後胴側連接部１２ｂは、後胴被覆本体部１１ａ、すなわち、後胴被覆部１１の一方の端部の内面に取着される。したがって、後胴被覆部１１は、愛玩動物の背と後脚を覆うものの、愛玩動物の腹部は露出することとなる。前胴側連接部１２ａと後胴側連接部１２ｂにより構成される連接部材１２は、マジックテープ（株式会社クラレの登録商標）のような面ファスナーにて形成される。したがって、前胴側連接部１２ａと後胴側連接部１２ｂを重ね合わせると前胴被覆部１０と後胴被覆部１１とが連接され、その状態から引き剥がすとそれらは分離する。つまり、連接部材１２は、前胴被覆部１０と後胴被覆部１１との連接、分離を可能とするものである。図１では、前胴被覆部１０は愛玩動物の背側から、後胴被覆部１１は愛玩動物の腹側から、それぞれ見た状態を示している。図１において、１０ｃは首挿通孔１０ｂを通して見える前胴被覆部１０の裏地であり、後胴被覆部１１、詳しくは後胴被覆本体部１１ａの裏地も見えている。なお、前胴被覆部１０と後胴被覆部１１とは、異なる素材を使うことができる。
【００１２】
図２は、前胴被覆部１０と後胴被覆部１１を連接したものを愛玩動物の腹側から示したものである。すなわち、図１の前胴被覆部１０を裏返し、連接部材１２（前胴側連接部１２ａと後胴側連接部１２ｂ）で連接した状態である。図２では前脚挿通孔１０ａ、１０ａから首挿通孔１０ｂと前胴被覆部１０の裏地１０ｃが見えている。図３は愛玩動物に装着した状態、すなわち、前胴被覆部１０と後胴被覆部１１を連接して愛玩動物に装着した状態を示したものである。図において、１１ｃは露出している愛玩動物の腹部である。
【００１３】
上述した愛玩動物用衣服１は、連接部材による固定を愛玩動物の背側で行うことにより、愛玩動物の動きが特に激しい腹部が動きやすくなり、その結果、全体として動きやすくはずれにくくなり、装着の快適性を高めることができ、ウエストで固定するために起こる擦れや摩擦による負傷を防ぐことができる。特に腹部が露出されていると非常に動きやすく、かつ、排泄による汚れを抑制することができる。また、前胴被覆部１０を伸縮性のある素材を使用することにより、後胴被覆部１１の素材のみでなる場合に比べ快適性を高めることができる。更に、連接部材の調節により微妙なサイズ調整ができるので装着時の快適性をより高めることができる。また、連接部材１２で分離することにより、汚れやすい後胴被覆部１１のみ洗濯することができ、異素材や異色彩の場合においては、洗濯時の前胴被覆部１０と後胴被覆部１１の間の色移りを防ぐことができる等、洗濯の効率を高めることができる。なお、連接部材１２は、面ファスナーを採用しているが、これに限られず例えばファスナー、ボタン、スナップ、紐等でもよい。
【００１４】
図４乃至６は、本発明の第２の実施形態である愛玩動物用衣服２を示したものである。この愛玩動物用衣服２も、前胴被覆部２０と、後胴被覆部２１と、連接部材２２と、を備える。図４は前胴被覆部２０と後胴被覆部２１の分離した状態を示している。この前胴被覆部２０は、第１の実施形態の前胴被覆部１０のように大略袋状をなすのではなく、装着する前は一枚の布状のものである。前胴被覆部２０は、少なくとも愛玩動物の背の前方側を覆うものであり、一方の端部近傍に２個の前脚挿通孔２０ａ、２０ａを有している。そして、連接部材２２を構成する前胴側連接部２２ａは、前胴被覆部２０の他方の端部であって愛玩動物の背側の内面に取着される。この後胴被覆部２１は、第１の実施形態の後胴被覆部１１のように後脚被覆部１１ｂ、１１ｂを有さず、装着する前は一枚の布状のものである。後胴被覆部２１は、愛玩動物に装着したとき、腹部が露出するよう横幅と、後脚が覆われないような縦幅に、それぞれ設定してある。そして、連接部材２２を構成する後胴側連接部２２ｂは、後胴被覆部２１の一方の端部の外面に取着される。したがって、後胴被覆部２１は、愛玩動物の背と後脚を覆うものの、愛玩動物の腹部は露出することとなる。前胴側連接部２２ａと後胴側連接部２２ｂにより構成される連接部材２２は、第１の実施形態と同様、マジックテープ（株式会社クラレの登録商標）のような面ファスナーにて形成される。したがって、前胴側連接部２２ａと後胴側連接部２２ｂを重ね合わせると前胴被覆部２０と後胴被覆部２１とが連接され、その状態から引き剥がすとそれらは分離する。つまり、連接部材２２は、前胴被覆部と後胴被覆部との連接、分離を可能とするものである。図４では、前胴被覆部２０は愛玩動物の腹側から、後胴被覆部２１は愛玩動物の背側から、それぞれ見た状態を示している。なお、前胴被覆部２０と後胴被覆部２１とは、異なる素材を使うことができる。
【００１５】
図５は前胴被覆部２０と後胴被覆部２１を連接したものを愛玩動物の腹側から示したものである。すなわち、図４の後胴被覆部２１を裏返し、連接部材２２（前胴側連接部２２ａと後胴側連接部２２ｂ）で連接した状態である。図６は愛玩動物に装着した状態、すなわち、前胴被覆部２０と後胴被覆部２１を連接して愛玩動物に装着した状態を示したものである。
【００１６】
この愛玩動物用衣服２は、愛玩動物用衣服１と同様の効果が得られ、更に装着すると、ワンピースを着ているかのような視認効果が得られ、連接部材２２で分離することにより異素材の前胴被覆部２０と後胴被覆部２１を別に洗濯することができる。
【００１７】
図７乃至９は本発明の第３の実施形態である愛玩動物用衣服３を示したものである。この愛玩動物用衣服２は、先の実施形態と同様、前胴被覆部３０と、後胴被覆部３１と、連接部材３２と、を備えるとともに、更に首部被覆部３３と第２の連接部材３４を備える。図７は首部被覆部３３と前胴被覆部３０と後胴被覆部３１を分離した状態を示している。この前胴被覆部３０は、先の実施形態とは異なり、大略人用のボタン付シャツ状をなしている。前胴被覆部３０は、少なくとも愛玩動物の背の前方側を覆うものであり、ボタン付シャツの袖に対応する箇所を２個の前脚被覆部３０ｂ、３０ｂとしている。前脚被覆部３０ｂは、前脚挿通孔３０ａをボタン付シャツの袖口に対応する箇所に有す。そして、連接部材３２を構成する前胴側連接部３２ａは、前胴被覆部３０の他方の端部であって愛玩動物の背側の内面に、第２の連接部材３４を構成する第２の前胴側連接部３４ａは、前胴被覆部３０の一方の端部であって愛玩動物の背側の内面に、それぞれ取着される。この後胴被覆部３１は、第２の実施形態の後胴被覆部２１と略同様であり、愛玩動物に装着したとき、腹部が露出するよう横幅と、後脚が覆われないような縦幅に、それぞれ設定してある。そして、連接部材３２を構成する後胴側連接部３２ｂは、後胴被覆部３１の一方の端部の外面に取着される。したがって、後胴被覆部３１は、愛玩動物の背と後脚を覆うものの、愛玩動物の腹部は露出することとなる。前胴側連接部３２ａと後胴側連接部３２ｂにより構成される連接部材３２は、第１の実施形態と同様、マジックテープ（株式会社クラレの登録商標）のような面ファスナーにて形成される。したがって、前胴側連接部３２ａと後胴側連接部３２ｂを重ね合わせると前胴被覆部３０と後胴被覆部３１とが連接され、その状態から引き剥がすとそれらは分離する。つまり、連接部材３２は、前胴被覆部３０と後胴被覆部３１との連接、分離を可能とするものである。首部被覆部３３は、首部に加え頭部をも覆うフード状をなしている。そして、第２の連接部材３４を構成する首部側連接部３４ｂは、首部被覆部３３の他方の端部の外面に取着される。第２の前胴側連接部３４ａと首部側連接部３４ｂにより構成される第２の連接部材３４は、連接部材３２と同様、面ファスナーにて形成される。したがって、第２の前胴側連接部３４ａと首部側連接部３４ｂを重ね合わせると前胴被覆部３０と首部被覆部３３とが連接され、その状態から引き剥がすとそれらは分離する。つまり、第２の連接部材３４は、前胴被覆部３０と首部被覆部３３との連接、分離を可能とするものである。なお、首部被覆部３３は、ここではフードを採用しているが、これに限られず例えば襟、ハイネック、襟巻き等でもよい。図７では、首部被覆部３３と後胴被覆部３１は背側から、前胴被覆部３０は腹側から、それぞれ見た状態を示している。
【００１８】
図８は首部被覆部３３と前胴被覆部３０と後胴被覆部３１を連接したものを愛玩動物の腹側から示したものである。すなわち、図７の首部被覆部３３と後胴被覆部３１を裏返し、連接部材３２（前胴側連接部３２ａと後胴側連接部３２ｂ）と第２の連接部材３４（第２の前胴側連接部３４ａと首部側連接部３４ｂ）で連接した状態である。図９は愛玩動物に装着した状態、すなわち、前胴被覆部３０と後胴被覆部３１と首部被覆部３３とを連接して愛玩動物に装着した状態を示したものである。同図では、連接状態の愛玩動物用衣服１を前記愛玩動物用衣服３の下に装着、すなわち、前胴被覆部３０の下には、前胴被覆部１０を装着している。
【００１９】
この愛玩動物用衣服３は、愛玩動物用衣服１、２と同様の効果が得られ、更に、前胴被覆部３０と後胴被覆部３１と首部被覆部３３とが連接部材３２と第２の連接３４で連接されることにより、後胴被覆部３１と首部被覆部３３からなる衣服を前胴被覆部３０の下に着ているかのような視認効果を得ることができる。
【００２０】
また、前胴被覆部３０と後胴被覆部３１は交換することができる。例えば、前胴被覆部３０に第２の実施形態の後胴被覆部２１を連接することができる。これにより、自由に組み合わせることができ、コーディネイトの幅が広がる。
【００２１】
以上、本発明の実施形態に係る愛玩動物用衣服について説明したが、本発明は、実施形態に記載したものに限られることなく、特許請求の範囲に記載した事項の範囲内でのさまざまな設計変更が可能である。例えば、素材、デザイン、色彩および大小等を自由に選択して、また、ペットの種類（犬、猫等）に応じ、形状、寸法を変えて、外出用、室内用、医療用、その他に汎用するものであることは勿論である。
【図面の簡単な説明】
【００２２】
【図１】本発明の第１の実施形態に係る愛玩動物用衣服の分離した状態を示す外観図である。
【図２】同上の愛玩動物用衣服の連接した状態を示す外観図である。
【図３】同上の愛玩動物用衣服の装着した状態を示す外観図である。
【図４】本発明の第２の実施形態に係る愛玩動物用衣服の分離した状態を示す外観図である。
【図５】同上の愛玩動物用衣服の連接した状態を示す外観図である。
【図６】同上の愛玩動物用衣服の装着した状態を示す外観図である。
【図７】本発明の第３の実施形態に係る愛玩動物用衣服の分離した状態を示す外観図である。
【図８】同上の愛玩動物用衣服の連接した状態を示す外観図である。
【図９】同上の愛玩動物用衣服の装着した状態を示す外観図である。
【符号の説明】
【００２３】
１      第１の実施形態に係る愛玩動物用衣服
１０    同上の前胴被覆部
１０ａ  前胴被覆部の前脚挿通孔
１１    同上の後胴被覆部
１１ａ  後胴被覆部の後胴被覆本体部
１１ｂ  後胴被覆部の前脚被覆部
１２    同上の連接部材
１２ａ  連接部材の前胴側連接部
１２ｂ  連接部材の後胴側連接部
２      第２の実施形態に係る愛玩動物用衣服
２０    同上の前胴被覆部
２０ａ  前胴被覆部の前脚挿通孔
２０ｂ  前胴被覆部の首部被覆部
２１    同上の後胴被覆部
２２    同上の連接部材
２２ａ  連接部材の前胴側連接部
２２ｂ  連接部材の後胴側連接部
３      第２の実施形態に係る愛玩動物用衣服
３０    同上の前胴被覆部
３０ａ  前胴被覆部の前脚挿通孔
３０ｂ  前胴被覆部の前脚被覆部
３１    同上の後胴被覆部
３２    同上の連接部材
３２ａ  連接部材の前胴側連接部
３２ｂ  連接部材の後胴側連接部
３３    同上の首部被覆部
３４    同上の第２の連接部材
３４ａ  第２の連接部材の第２の前胴側連接部
３４ｂ  第２の連接部材の首部側連接部
【図１】
2006115855.tif 000003
【図２】
2006115855.tif 000004
【図３】
2006115855.tif 000005
【図４】
2006115855.tif 000006
【図５】
2006115855.tif 000007
【図６】
2006115855.tif 000008
【図７】
2006115855.tif 000009
【図８】
2006115855.tif 000010
【図９】
2006115855.tif 000011